(57)【要約】【課題】汗等の体液中や、その他の液体中に含まれる成分を、濃度を変化させずに採取することが可能な液体採取具の提供。【解決手段】本発明の液体採取具１は、連続気泡構造を有する樹脂発泡体からなり、液体を吸収可能であると共に、外力を受けた際に吸収した液体を排出可能であり、液体が提供される対象物に宛がわれる吸収面２ａと、吸収面２ａの反対側にある反対面２ｂとを有する液体吸収層２と、吸収面２ａが露出し、かつ反対面２ｂが被覆される形で配され、液体吸収層２に吸収された液体の蒸発を抑制する保護層３とを備える。【選択図】図２
2020106518.tif 000002
【特許請求の範囲】
【請求項１】
連続気泡構造を有する樹脂発泡体からなり、液体を吸収可能であると共に、吸収した前記液体を排出可能であり、前記液体が提供される対象物に宛がわれる吸収面と、前記吸収面の反対側にある反対面とを有する液体吸収層と、
前記吸収面が露出し、かつ前記反対面が被覆される形で配され、前記液体吸収層に吸収された前記液体の蒸発を抑制する保護層とを備える液体採取具。
【請求項２】
前記液体吸収層の前記吸収面は、水に対する接触角が９０°以下である請求項１に記載の液体採取具。
【請求項３】
樹脂発泡体が、ウレタン樹脂発泡体及びアクリル樹脂発泡体からなる群より選ばれる少なくとも１種である請求項１又は請求項２に記載の液体採取具。
【請求項４】
前記液体吸収層のアスカーＣ硬度が、２０以下である請求項１〜請求項３の何れか一項に記載の液体採取具。
【発明の詳細な説明】
【技術分野】
【０００１】
本発明は、液体採取具に関する。
【背景技術】
【０００２】
ヒトの汗等の体液中に含まれる成分（例えば、乳酸、ブドウ糖等の有機成分、カリウム等の無機成分）を分析するために、体液を採取する用具が知られている。例えば、特許文献１には、熱可塑性フィルム上に汗吸収シートが貼り付けられた構成の液体採取具（汗捕集用具）が示されている。汗吸収シートは、濾紙や、ガラス繊維等から形成される。この液体採取具は、汗吸収シート側がヒトの皮膚表面と密着するように貼り付けて使用される。皮膚表面より蒸散した汗は、液体採取具の汗吸収シートに吸収される。所定時間経過した後、液体採取具は、皮膚表面から剥がされ、汗を吸収した汗吸収シートのみがメタノール中に浸漬される。そして、汗中の成分が、メタノール溶液として抽出される。
【先行技術文献】
【特許文献】
【０００３】
【特許文献１】特開２００４−２１６０２０号公報
【発明の概要】
【発明が解決しようとする課題】
【０００４】
近年、汗等の体液中や、その他の液体中に含まれる成分を、濃度を変化させずに採取することが求められている。つまり、液体採取具を用いて、所定成分を含む体液等の液体を採取する際に、単に、液体を吸収することのみならず、成分を吸着せずに、液体をそのままの濃度で排出させて回収することが求められている。従来の液体採取具は、採取した液体（汗）の濃度を変化させずに、回収することを考慮したものでは無かった。
【０００５】
本発明の目的は、汗等の体液中や、その他の液体中に含まれる成分を、濃度を変化させずに採取することが可能な液体採取具を提供することである。
【課題を解決するための手段】
【０００６】
前記課題を解決するための手段は、以下の通りである。即ち、
＜１＞  連続気泡構造を有する樹脂発泡体からなり、液体を吸収可能であると共に、吸収した前記液体を排出可能であり、前記液体が提供される対象物に宛がわれる吸収面と、前記吸収面の反対側にある反対面とを有する液体吸収層と、前記吸収面が露出し、かつ前記反対面が被覆される形で配され、前記液体吸収層に吸収された前記液体の蒸発を抑制する保護層とを備える液体採取具。
【０００７】
＜２＞  前記液体吸収層の前記吸収面は、水に対する接触角が９０°以下である前記＜１＞に記載の液体採取具。
【０００８】
＜３＞  樹脂発泡体が、ウレタン樹脂発泡体及びアクリル樹脂発泡体からなる群より選ばれる少なくとも１種である前記＜１＞又は前記＜２＞に記載の液体採取具。
【０００９】
＜４＞  前記液体吸収層のアスカーＣ硬度が、２０以下である前記＜１＞〜＜３＞の何れか１つに記載の液体採取具。
【発明の効果】
【００１０】
本願発明によれば、汗等の体液中や、その他の液体中に含まれる成分を、濃度を変化させずに採取することが可能な液体採取具を提供することができる。
【図面の簡単な説明】
【００１１】
【図１】実施形態１の液体採取具の平面図
【図２】図１のＡ−Ａ線断面図
【図３】液体採取具の使用例を示す説明図
【図４】実施形態２に係る液体採取具の断面図
【図５】実施形態３に係る液体採取具の斜視図
【図６】図５のＢ−Ｂ線断面図
【図７】実施例１の液体吸収層の吸収面を、走査型電子顕微鏡を利用して撮影した画像（倍率：５０倍）
【図８】実施例１の液体吸収層の反対面を、走査型電子顕微鏡を利用して撮影した画像（倍率：５０倍）
【図９】実施例１のウレタン樹脂発泡体からなる液体吸収層の断面を、走査型電子顕微鏡を利用して撮影した画像（倍率：５０倍）
【図１０】実施例１の液体採取具の断面を、光学顕微鏡を利用して撮影した画像（倍率：１００倍）
【発明を実施するための形態】
【００１２】
〔実施形態１〕
以下、本発明の実施形態１に係る液体採取具１を、図１〜図３を参照しつつ説明する。図１は、実施形態１の液体採取具１の平面図であり、図２は、図１のＡ−Ａ線断面図である。液体採取具１は、ヒトの汗中に含まれる成分（例えば、乳酸、ブドウ糖等の有機成分、カリウム等の無機成分）を分析等する目的で、汗を採取する道具である。液体採取具１は、汗を吸収可能であり、かつ吸収した汗を、そのままの成分濃度で排出することができる。
【００１３】
液体採取具１は、液体吸収層２と、保護層３を備えている。液体吸収層２は、連続気泡構造を有する樹脂発泡体のシート状の部材からなる。本実施形態の液体吸収層２は、図１に示されるように、平面視で矩形状をなしている。液体吸収層２は、ヒトの皮膚表面（液体が提供される対象物の一例）に宛がわれる吸収面２ａと、吸収面２ａの反対側にある反対面２ｂとを有する。図２において、吸収面２ａは、下側を向く形で示され、反対面２ｂは、上側を向く形で示されている。液体吸収層２は、吸収面２ａから汗を吸収し、かつ吸収した汗をその内部で保持する。
【００１４】
液体吸収層２の吸収面２ａは、水に対する接触角が９０°以下であることが好ましい。水に対する接触角がこのような範囲であると、吸収面２ａとヒトの皮膚表面との間に汗等の液体が溜まることなく、吸収面２ａから汗等の液体を吸収し、かつ吸収した汗等の液体を、内部で保持等し易い。
【００１５】
液体吸収層２は、内部の連続気泡構造を維持できる程度の剛性を備えつつ、ヒトの皮膚表面（肌）に倣う形で変形可能な程度の柔軟性（肌への追従性）を備えている。また、液体吸収層２は、外力を受けた際に、形状が復元可能な状態で収縮して、吸収した汗等の液体を外部へ排出することができる。例えば、液体吸収層２に対して、捩じるように力（外力の一例）を加えると、液体吸収層２の内部で保持されている汗等の液体を、外部へ絞り出すことができる。また、スポイト等により吸引して、内部で保持されている汗等の液体を、液体吸収層２の外部へ取り出してもよい。このように、スポイト等の吸引力（外力の一例）を利用して、液体吸収層２の外部へ汗等の液体を、排出してもよい。
【００１６】
液体吸収層２の大きさ（平面視した際の広さ、及び厚み）は、吸収する汗等の液体の量等に応じて、適宜、設定される。
【００１７】
液体吸収層２を構成する材料としては、汗等の液体を吸収可能であり、かつ吸収した前記液体中に含まれる成分等を吸着せず、排出できる材料が用いられる。このような液体吸収層２を構成する材料としては、本発明の目的を損なわない限り、特に制限はないが、例えば、ウレタン樹脂発泡体、アクリル樹脂発泡体、及びメラミン樹脂発泡体からなる群より選ばれる少なくとも１種が利用されることが好ましくい。また、液体吸収層２を構成する材料としては、吸水性に優れる等の観点より、ウレタン樹脂発泡体、及びアクリル樹脂発泡体からなる群より選ばれる少なくとも１種が利用されることが更に好ましい。
【００１８】
液体吸収層２として、利用可能な市販品の材料としては、例えば、商品名「Ｐｕｒｅ  Ｃｅｌｌ  ＵＣ−１５０ＰＲ」（株式会社イノアックコーポレーション製、ウレタン樹脂発泡体、厚みの種類：０．５ｍｍ、１．０ｍｍ、１．５ｍｍ）、商品名「Ｐｕｒｅ  Ｃｅｌｌ  ＡＳ−２５０ＰＲ」（株式会社イノアックコーポレーション製、アクリル樹脂発泡体、厚みの種類：０．２ｍｍ、０．３ｍｍ、０．５ｍｍ）、商品名「バソテクト  Ｗ」（株式会社イノアックコーポレーション製、メラミン樹脂発泡体）等が挙げられる。
【００１９】
液体吸収層２は、アスカーＣ硬度が２０以下であることが好ましく、１５以下がより好ましい。なお、液体吸収層２のアスカーＣ硬度の下限値は、本発明の目的を損なわない限り、特に制限はないが、例えば、０よりも大きな値であることが好ましい。液体吸収層２のアスカーＣ硬度の値がこのような範囲であると、液体吸収層２の肌への追従性が得られる。
【００２０】
保護層３は、液体吸収層２に吸収された汗の蒸発を抑制する等の目的で設けられる。保護層３は、吸収面２ａが露出し、かつ反対面２ｂが被覆される形で、液体吸収層２に対して取り付けられる。保護層３は、本発明の目的を損なわない限り、自身の接着性能等を利用して液体吸収層２に直接、取り付けられても良いし、他の層（例えば、接着層）を介して、液体吸収層２に取り付けられてもよい。また、保護層３は、その一部が、液体吸収層２の一部に浸み込んだ状態で固化することにより、液体吸収層２に取り付けられてもよい。このように保護層３の一部が、液体吸収層２に浸み込んだ状態で取り付けられると、保護層３と液体吸収層２との間で機械的結合（アンカー効果）が生じ、保護層３と液体吸収層２が互いに剥がれ難くなる。
【００２１】
本実施形態の場合、保護層３は、液体吸収層２の反対面２ｂのみならず、反対面２ｂの周囲に配される４つの端面２ｃ，２ｄ，２ｅ，２ｆも覆うように形成されている。保護層３は、全体的には、中央側が凹状に窪んだシート状をなしている。保護層３は、液体吸収層２が吸収した汗（液体）に含まれる成分や水分が蒸発しないように、液体吸収層２の反対面２ｂ等にある孔（空隙）を閉塞する機能を有する。また、保護層３は、汗に含まれる成分や水分を実質的に吸収せず、かつそれらを透過させない材料から構成される。また、保護層３は、液体吸収層２と同様、ヒトの表面に倣う形で変形可能な程度の柔軟性を備えている。また、保護層３は、液体吸収層２が吸収した汗等の液体を、液体吸収層２から回収する際に、液体吸収層２と共に外力が加えられるため、そのような外力に耐え得る強度や、形状の復元性を備えることが好ましい。
【００２２】
保護層３を構成する材料の硬度としては、例えば、タイプＡデュロメータを使用して測定した硬度が、Ａ０〜Ａ９０であることが好ましい。
【００２３】
保護層３を構成する材料としては、本発明の目的を損なわない限り、特に制限はないが、例えば、天然ゴム、合成ゴム、エラストマー等が利用されてもよい。
【００２４】
図３は、液体採取具１の使用例を示す説明図である。液体採取具１は、例えば、ヒトＨの上腕の皮膚表面に貼り付ける形で用いられる。液体採取具１は、吸収面２ａが皮膚表面に接触する形で、ヒトＨの上腕に固定される。液体採取具１の固定には、接着力を有するテープ（例えば、テーピングテープ）や、締め付け部（例えば、ゴムバンド、ベルト等）等の公知の固定手段が利用されてもよい。なお、液体採取具１の吸収面２ａや、皮膚表面と接触する保護層３の部分に接着力がある場合は、それらの接着力を利用して、皮膚表面に液体採取具１を固定してよい。
【００２５】
液体採取具１は、所定時間の間、ヒトＨの上腕の皮膚表面に貼り付けられ、その間に皮膚表面から発生した汗が採取される。所定時間経過後、液体採取具１は、皮膚表面から剥がされ、その液体採取具１に対して、捩じる等して外力が加えられると、液体吸収層２中で保持されていた汗が、液体吸収層２の外部へ排出され、その汗が所定の容器等に回収される。このように回収された汗は、液体吸収層２が吸収する時と同様、各主成分（有機成分、無機成分等）の濃度が維持されている。そのため、液体採取具１で回収された汗は、例えば、健康管理や運動能力の向上等の目的で、ヒトの発汗状態の分析等に利用することができる。
【００２６】
〔実施形態２〕
図４は、実施形態２に係る液体採取具１Ａの断面図である。液体採取具１Ａは、実施形態１と同様、連続気泡構造を有する樹脂発泡体のシート状の部材からなる液体吸収層２Ａを有する。本実施形態の場合、液体吸収層２Ａの表面のうち、反対面２Ａｂのみを覆う形で、保護層３Ａが形成されている。また、保護層３Ａは、液体吸収層２Ａの反対面２Ａｂに対して、接着剤層４を介して取り付けられている。保護層３Ａは、平面視した際に、液体吸収層２Ａよりも面積が大きくなるように設定されている。保護層３Ａのうち、液体吸収層２Ａと重ならずに、液体吸収層２Ａから外側へはみ出した部分３Ａ１の下面には、液体が提供される対象物（ヒトの皮膚表面等）に固定するための接着剤層５が形成されている。
【００２７】
本実施形態の液体採取具１Ａは、液体吸収層２Ａの吸収面２Ａａが、前記対象物に宛がわれ、かつ接着剤層５が前記対象物に貼り付けられる形で、前記対象物に取り付けられる。保護層３Ａの前記はみ出した部分３Ａ１は、平面視した際、液体吸収層２Ａを取り囲むような形をなしているため、前記対象物に貼り付けられた際に、液体吸収層２Ａを、前記対象物との間で包囲した形となる。液体吸収層２Ａの端面は、保護層３Ａによって直接、覆われていないものの、上記のように、前記はみ出した部分３Ａ１により包囲されるため、液体吸収層２Ａの端面から汗等の液体が蒸発することが抑制される。
【００２８】
本実施形態のように、保護層３Ａは、液体採取具１Ａの反対面２Ａｂを覆うように形成されてもよい。また、液体吸収層２Ａは、保護層３Ａに対して、接着剤層４を介して固定されてもよい。
【００２９】
〔実施形態３〕
図５は、実施形態３に係る液体採取具１Ｂの斜視図であり、図６は、図５のＢ−Ｂ線断面図である。本実施形態の液体採取具１Ｂは、上記実施形態１，２とは異なり、容器状に形成されたものである。液体採取具１Ｂは、底面が半球状に膨らんだ有底筒状の液体吸収層２Ｂと、この液体吸収層２Ｂの外側表面からなる反対面２Ｂｂを覆う形で形成される保護層３Ｂとを備えている。保護層３Ｂは、液体吸収層２Ｂよりも一回り大きな、有底筒状をなしており、液体吸収層２Ｂと同様、底面が半球状に膨らんだ形をなしている。本実施形態の場合、液体吸収層２Ｂの内側表面が、吸収面２Ｂａとなっている。本実施形態の液体採取具１Ｂは、例えば、ヒトの指先に装着する形で使用される。液体採取具１Ｂの吸収面２Ｂａは、ヒトの指先の表面に対して、取り囲む形で宛がわれる。本実施形態のように、液体採取具１Ｂは、容器状に形成されてもよい。
【００３０】
〔他の実施形態〕
他の実施形態において、液体採取具は、汗以外の体液の採取に利用されてもよく、また、体液以外の液体（溶液）の採取に利用されてもよい。また、実施形態１において、液体採取具は、平面視で矩形状をなしていたが、形状は、特に制限されず、例えば、円形状、曲線を有する形状等であってもよい。
【実施例】
【００３１】
以下、実施例に基づいて本発明を更に詳細に説明する。なお、本発明はこれらの実施例により何ら限定されるものではない。
【００３２】
〔実施例１〕
図１に示される構成と同様の構成を備えた実施例１の液体採取具１を、以下のようにして作製した。先ず、液体吸収層２として、縦６０ｍｍ×横６０ｍｍ×厚み１．５ｍｍのシート状のウレタン樹脂発泡体（商品名「Ｐｕｒｅ  Ｃｅｌｌ  ＵＣ−１５０ＰＲ」、株式会社イノアックコーポレーション製、水に対する接触角：８５．５°）を用意した。
【００３３】
なお、実施例１における液体吸収層２の吸収面２ａの水に対する接触角（°）は、ＪＩＳ  Ｒ  ３２５７：１９９９に準拠したθ／２法により測定した。測定機器としては、接触角計（画像処理式）「ＣＡ−Ｘ型」（協和界面科学株式会社製）を使用した。具体的には、室温条件（２３℃）下で、約１μＬの蒸留水を、液体吸収層２の吸収面２ａ上にシリンジを用いて滴下して、吸収面２ａ上に蒸留水の水滴を載せた。そして、その状態の水滴画像を上記測定機器により取得し、その水滴画像に基づいて、θ／２法による接触角（°）を求めた。このような接触角の測定を合計３回行った。実施例１における吸収面２ａの水に対する接触角（°）は、３回の測定結果の平均値である。後述する、その他の実施例及び比較例についても、同様の方法で、接触角を求めた。
【００３４】
ここで、上記ウレタン樹脂発泡体からなる液体吸収層２について説明する。図７は、実施例１の液体吸収層２の吸収面２ａを、走査型電子顕微鏡を利用して撮影した画像（倍率：５０倍）である。図７に示されるように、吸収面２ａには、大きさが異なる複数種の孔２０が多数個形成されている。図８は、実施例１の液体吸収層２の反対面２ｂを、走査型電子顕微鏡を利用して撮影した画像（倍率：５０倍）である。図８に示されるように、反対面２ｂにも、大きさが異なる複数種の孔２０が多数個形成されている。なお、液体吸収層２として使用するシート状のウレタン樹脂発泡体は、一方の表面が、他方の表面よりも平坦な状態となっている。これは、ウレタン樹脂発泡体の製造工程において、ウレタン樹脂発泡体がフィルム材の上で形成されるため、そのフィルム材に接触していた側の表面がフィルム材の表面に倣って平坦な形状となるからである。吸収面２ａとしては、ウレタン樹脂発泡体の２つの表面のうち、どちらを使用してもよいが、吸収面２ａを、対象物と隙間なく密着させ易い等の観点より、平坦な状態の表面を使用することが好ましい。
【００３５】
図９は、実施例１のウレタン樹脂発泡体からなる液体吸収層２の断面を、走査型電子顕微鏡を利用して撮影した画像（倍率：５０倍）である。図９の下側に吸収面２ａが示され、上側に反対面２ｂが示されている。図９に示されるように、液体吸収層２中の孔（空隙）は、連続しているものの、厚み方向において、吸収面２ａ側及び反対面２ｂ側よりも、中央側の方が、大きな孔（空隙）２０の占める割合が高くなっている。
【００３６】
上記のような液体吸収層２を、所定の容器の底面上に配置し、その状態の容器内に、液状シリコーン（ＳＭＯＯＴＨ−ＯＮ社製、硬度（シート状）：デュロＡ５）を流し込んだ。その後、その容器を、室温（２５℃）で２４時間放置して、液状シリコーンを硬化させて保護層を形成した。その後、容器内から適宜、取り出して、液体吸収層２及び保護層３を有する実施例１の液体採取具１を得た。
【００３７】
図１０は、実施例１の液体採取具１の断面を、光学顕微鏡を利用して撮影した画像（倍率：１００倍）である。図１０の下側に、液体吸収層２が配され、その上側に保護層３が配されている。保護層３を形成後の液体吸収層２の厚みｈ１は、約１．４３ｍｍである。図１０に示されるように、反対面２ｂ側から液体吸収層２の内部に、一部、保護層３が浸み込んだ状態となっている。この浸み込んだ部分の厚みｈ２は、約０．４９ｍｍである。このように、液体吸収層２の一部に、保護層３の一部が浸み込んだ形となっているものの、液体吸収層２中の大部分の孔（空隙）２０は確保されている。
【００３８】
〔実施例２〕
液体吸収層として、縦５０ｍｍ×横５０ｍｍ×厚み０．５ｍｍのシート状のアクリル樹脂発泡体（商品名「Ｐｕｒｅ  Ｃｅｌｌ  ＡＳ−２５０ＰＲ」、株式会社イノアックコーポレーション製、水に対する接触角：８３．２°）を使用したこと以外は、実施例１と同様にして、実施例２の液体採取具を作製した。
【００３９】
〔実施例３〕
液体吸収層として、縦５０ｍｍ×横５０ｍｍ×厚み２ｍｍのシート状のメラミン樹脂発泡体（商品名「バソテクト  Ｗ」、株式会社イノアックコーポレーション製、水に対する接触角：１３０．９°）を使用したこと以外は、実施例１と同様にして、実施例３の液体採取具を作製した。
【００４０】
〔比較例１〕
液体吸収層として、縦５０ｍｍ×横５０ｍｍ×厚み２ｍｍのシート状のＰＶＡフォーム（商品名「超親水スポンジ」、アイオン株式会社製）を使用したこと以外は、実施例１と同様にして、比較例１の液体採取具を作製した。なお、比較例１の液体吸収層は、吸収面に水滴が滴下されると、瞬時に水滴が液体吸収層内に吸収されてしまうため、接触角を測定できなかった。
【００４１】
〔比較例２〕
液体吸収層として、縦５０ｍｍ×横５０ｍｍ×厚み２ｍｍのシート状のＰＥフォーム（商品名「ＭＡＰＳ  ＳＴ１５−５０」、株式会社イノアックコーポレーション製、水に対する接触角：１３１．７°）を使用したこと以外は、実施例１と同様にして、比較例２の液体採取具を作製した。
【００４２】
〔比較例３〕
液体吸収層として、縦１５ｍｍ×横１５ｍｍ×厚み２ｍｍのシート状の親水性ウレタンフォーム（商品名「ＴＯＦＵ  Ｌｏｖｅ」、株式会社クロスマーケット製、水に対する接触角：１２７．１°）を使用したこと以外は、実施例１と同様にして、比較例３の液体採取具を作製した。
【００４３】
〔評価〕
（吸収性の評価）
有機成分として、有機系着色剤であるベニバナ黄色素（商品名「サフラワーＹ１５００」、ダイワ化成株式会社製）を用意した。そして、このベニバナ黄色素を０．０２質量％の濃度で含む着色水溶液を作製した。各実施例及び各比較例について、保護層側が下側となり、かつ吸収面が上方を向くように液体採取具を配置した。そして、吸収面の上に、スポイトで約０．１ｍｌの着色水溶液を滴下した。滴下後、１分間の間に、着色水溶液が、吸収面から、液体吸収層の内部に吸収されるか否かを、目視で確認した。結果は、表１に示した。
【００４４】
なお、１分以内に、着色水溶液が液体吸収層の内部に吸収された場合、優れた吸収性を有すると判断した。この場合、表１において「〇」と表した。また、１分以内に、着色水溶液が吸収されなかった場合でも、その後、外側から着色水溶液に力を加えることで、着色水溶液が液体吸収層の内部に吸収された場合、吸収性を有すると判断した。この場合、表１において「△」と表した。また、１分以内に、着色水溶液が吸収されず、更に、外側から着色水溶液に力を加えても、着色水溶液が液体吸収層の内部に吸収されなかった場合、吸水性なしと判断した。この場合、表１において「×」と表した。
【００４５】
（非吸着性の評価）
吸収性の評価の後、各実施例及び各比較例の液体採取具を水洗して、液体吸収層の着色（吸着）の有無を目視で確認した。結果は、表１に示した。着色が無かった場合、非吸着性に優れると判断した。この場合、表１において、「〇」と表した。着色が見られた場合、非吸着性なしと判断した。この場合、表１において「×」と表した。
【００４６】
（アスカーＣ硬度の測定）
各実施例及び各比較例について、液体吸収層として使用した材料と同じものを、硬度測定用の試料として用意した。そして、アスカーゴム硬度計Ｃ型（高分子計器株式会社製）、及び定圧荷重器「ＥＤＬ−１型」（有限会社エラストロン製）を使用し、室温（２４℃）及び湿度５０％の環境下で、荷重１ｋｇの条件で、各試料のアスカーＣ硬度を測定した。なお、アスカーＣ硬度の測定方法は、ＪＩＳ  Ｋ  ７３１２「熱硬化性ポリウレタンエラストマー成形物の物理試験方法」を参考にした。アスカーＣ硬度の測定の際、各試料としては、ＪＩＳ  Ｋ  ７３１２に準拠して、厚みが１０ｍｍ以上になるように積み重ねたものを使用した。結果は、表１に示した。表１には、各試料について、５回測定した結果の平均値が示される。
【００４７】
（肌への追従性の評価）
アスカーＣ硬度の測定で使用した各試料を使用して、各実施例及び各比較例における液体吸収層の肌への追従性を評価した。具体的には、試料を、試験者の前腕の肌上に載せ、載せた試料が肌表面に倣って密着するように変形可能か否かを目視で判断した。試料（液体吸収層）が、肌表面に倣って密着するように変形した場合、「肌への追従性有り（○）」と判断した。これに対して、肌表面に倣って変形せずに、肌表面から浮き上がった状態の場合、「肌への追従性なし（×）」と判断した。結果は、表１に示した。
【００４８】
【表１】
2020106518.tif 000003
【００４９】
表１に示されるように、実施例１，２の液体採取具は、吸収性に優れ、かつ非吸着性に優れることが確かめられた。実施例３については、実施例１，２と比べると、吸収性が劣るものの、非吸着性がなく、用途によっては十分に使用可能であることが確かめられた。
【００５０】
これに対し、比較例１の液体採取具は、吸収性に優れるものの、液体吸収層に着色が見られた。比較例２の液体採取具は、吸収性がなく、着色水溶液を弾いてしまう結果となった。なお、比較例２では、液体吸収層に着色水溶液を吸収させることができなかったため、非吸着性の評価を行うことができなかった。比較例３の液体採取具は、液体吸収層が親水性ウレタンフォームからなるものの、実施例１等とは異なり、液体吸収層が液体吸収層に着色する結果となった。
【００５１】
また、表１に示されるように、実施例１〜３では、液体吸収層が肌への追従性を備えていることが確かめられた。これに対して、比較例１では、液体吸収層が肌表面から浮き上がった状態となり、肌への追従性を備えていなかった。なお、比較例２，３については、液体吸収層が肌への追従性を備えている結果となった。
【００５２】
アスカーＣ硬度については、肌への追従性を備えている場合（実施例１〜３、比較例２，３）、２０以下であった。
【符号の説明】
【００５３】
１…液体採取具、２…液体吸収層、２ａ…吸収面、２ｂ…反対面、３…保護層
【図１】
2020106518.tif 000004
【図２】
2020106518.tif 000005
【図３】
2020106518.tif 000006
【図４】
2020106518.tif 000007
【図５】
2020106518.tif 000008
【図６】
2020106518.tif 000009
【図７】
2020106518.tif 000010
【図８】
2020106518.tif 000011
【図９】
2020106518.tif 000012
【図１０】
2020106518.tif 000013